(57)【要約】【課題】従来の濃縮型液体洗浄剤より大幅に少ない使用量でも、衣類に付着した皮脂汚れなどに対して優れた洗浄性を示し、組成物としての安定性にも優れた液体洗浄剤組成物を提供する。【解決手段】特定の構造を有する３種類のノニオン界面活性剤（ポリオキシアルキレンアルキルアミン、ポリオキシエチレンアルキルエーテル、ポリオキシアルキレンアルキルエーテル）を、特定の比率で配合することにより、極めて少量の使用量であっても優れた洗浄力を有し、かつ外観安定性にも優れた液体洗浄剤組成物とすることができる。【選択図】なし【特許請求の範囲】
【請求項１】
（Ａ）下記一般式（１）で表されるポリオキシアルキレンアルキルアミン
【化１】
2018109125.tif 000007
（式（１）中、Ｒ１は炭素数８〜２４の直鎖状又は分岐鎖状のアルキル基又はアルキレン基を表し、Ａ１Ｏ及びＡ２Ｏは各々独立に炭素数２〜４のオキシアルキレン基を表し、ｍ及びｎはオキシアルキレン基の平均繰返し数を表し、各々独立に０以上の数であり、ｍ＋ｎは３〜６０の整数である。）と、
（Ｂ）下記一般式（２）で表されるポリオキシエチレンアルキルエーテル
（式（２）中、Ｒ２は炭素数１０〜１８のアルキル基又はアルケニル基を表し、Ａ３Ｏはオキシエチレン基を表し、ａは平均付加モル数を表し、３〜１２の整数である。）と、
（Ｃ）前記（Ｂ）成分を除く、下記一般式（２）で表されるポリオキシアルキレンアルキルエーテル
（式（２）中、Ｒ２は炭素数１０〜１８のアルキル基又はアルケニル基を表し、Ａ３Ｏは炭素数２〜４のオキシアルキレン基を表し、ａは平均付加モル数を表し、３〜３５の整数である。）と、
【化２】
2018109125.tif 000008
を含有し、前記（Ａ）成分の含有量が２０〜３５重量％、前記（Ｂ）成分の含有量が１〜２５重量％、前記（Ｃ）成分の含有量が１〜３０重量％であり、前記（Ａ）〜（Ｃ）成分の合計含有量が２２〜６０重量％である衣料用液体洗浄剤組成物。
【請求項２】
前記（Ｂ）成分を表す前記一般式（２）中のａによって示される平均付加モル数が７〜９モルであり、
前記（Ｃ）成分を表す前記一般式（２）中のＲ２によって示されるアルキル基又はアルケニル基の炭素数が１２〜１４である
ことを特徴とする請求項１に記載の衣料用液体洗浄剤組成物。
【請求項３】
前記（Ａ）成分、前記（Ｂ）成分および前記（Ｃ）成分の合計の含有率は、２５〜５５重量％である
請求項１または２に記載の衣料用液体洗浄剤組成物。
【請求項４】
洗濯物１．５ｋｇに対する標準使用量において、前記（Ａ）〜（Ｃ）成分の合計量が２．０〜４．０ｇの範囲となる、請求項１ないし３のいずれかに記載の衣料用液体洗浄剤組成物。
【請求項５】
洗濯物１．５ｋｇに対する標準使用量において、前記（Ａ）〜（Ｃ）成分の合計量が２．５〜３．５ｇの範囲となる、請求項１ないし３のいずれかに記載の衣料用液体洗浄剤組成物。
【請求項６】
前記（Ａ）成分、前記（Ｂ）成分および前記（Ｃ）成分の合計の含有率は、４０〜５５重量％である
請求項１ないし５のいずれかに記載の衣料用液体洗浄剤組成物。
【発明の詳細な説明】
【技術分野】
【０００１】
本発明は、衣料用の液体洗浄剤組成物、より詳しくは、少量の界面活性剤でも優れた洗浄力を有し、また、組成物の安定性にも優れた衣料用液体洗浄剤組成物に関するものである。
【背景技術】
【０００２】
衣料用洗浄剤には、粉末洗浄剤と液体洗浄剤の２種類がある。近年は、洗浄剤の使用量が少なく溶け残りも無くて節水と時間短縮につながり、また、界面活性を多く含むことで皮脂汚れに対する洗浄力に優れ、さらに、その使い勝手も良いことから液体洗浄剤が主流となっている。
【０００３】
液体洗浄剤には、汎用型液体洗浄剤と濃縮型液体洗浄剤とが存在する。汎用型液体洗浄剤の一般的な使用量は、洗たく物１．５ｋｇに対して約２０〜２５ｇである。これに対し、濃縮型液体洗浄剤の一般的な使用量は、洗たく物１．５ｋｇに対して約１０ｇである。
【０００４】
このように、濃縮型液体洗浄剤は、汎用型液体洗浄剤に比べ同量の洗たく物に対する使用量が少ないことから、製品形態のコンパクト化による製造および運搬過程での資源や労力が削減でき、また、洗たく時の排水に含まれる界面活性剤の濃度を低く抑えることができるので環境への負担が少ないといった利点がある。
【先行技術文献】
【特許文献】
【０００５】
【特許文献１】特開２００３−１３８２９７号公報
【発明の概要】
【発明が解決しようとする課題】
【０００６】
従来の濃縮型液体洗浄剤組成物の洗たく物１．５ｋｇに対する使用量は、汎用型液体洗浄剤に比べて低減されてはいるものの、必ずしも十分ではない。また、洗浄力の観点からもさらなる改善が求められていた。
【０００７】
本発明は、上記課題に鑑みてなされたものであり、従来の濃縮型液体洗浄剤組成物より大幅に少ない使用量でも、衣類に付着した汚れ、特に皮脂汚れに対して優れた洗浄力をもち、かつ組成物としての安定性にも優れた液体洗浄剤組成物を提供するものである。
【課題を解決するための手段】
【０００８】
本発明者らは、上記課題を解決すべく鋭意研究した結果、特定の構造を有する３種類のノニオン界面活性剤を特定の比率で配合することにより、極めて少量の使用量であっても皮脂汚れに対して優れた洗浄力を示し、かつ組成物の安定性にも優れることを見出し、さらに研究を進めた結果、本発明を完成させるに至った。
【０００９】
すなわち、本発明は、
（Ａ）下記一般式（１）で表されるポリオキシアルキレンアルキルアミン
【化１】
2018109125.tif 000002
（式（１）中、Ｒ１は炭素数８〜２４の直鎖状又は分岐鎖状のアルキル基又はアルキレン基を表し、Ａ１Ｏ及びＡ２Ｏは各々独立に炭素数２〜４のオキシアルキレン基を表し、ｍ及びｎはオキシアルキレン基の平均繰返し数を表し、各々独立に０以上の数であり、ｍ＋ｎは３〜６０の整数である。）と、
（Ｂ）下記一般式（２）で表されるポリオキシエチレンアルキルエーテル
（式（２）中、Ｒ２は炭素数１０〜１８のアルキル基又はアルケニル基を表し、Ａ３Ｏはオキシエチレン基を表し、ａは平均付加モル数を表し、３〜１２の整数である。）と、
（Ｃ）前記（Ｂ）成分を除く、下記一般式（２）で表されるポリオキシアルキレンアルキルエーテル
（式（２）中、Ｒ２は炭素数１０〜１８のアルキル基又はアルケニル基を表し、Ａ３Ｏは炭素数２〜４のオキシアルキレン基を表し、ａは平均付加モル数を表し、３〜３５の整数である。）と、
【化２】
2018109125.tif 000003
を含有し、前記（Ａ）成分の含有率が２０〜３５重量％、前記（Ｂ）成分の含有率が１〜２５重量％、前記（Ｃ）成分の含有率が１〜３０重量％であり、前記（Ａ）〜（Ｃ）成分の合計含有率が２２〜６０重量％であることを特徴とする衣料用液体洗浄剤組成物である。
【００１０】
また、本発明は、前記特徴に加え、前記（Ｂ）成分を表す前記一般式（２）中のａによって示される平均付加モル数が７〜９モルであり、前記（Ｃ）成分を表す前記一般式（２）中のＲ２によって示されるアルキル基又はアルケニル基の炭素数が１２〜１４であることを特徴とする衣料用液体洗浄剤組成物である。
【００１１】
さらに、本発明は、前記特徴に加え、前記（Ａ）成分、前記（Ｂ）成分および前記（Ｃ）成分の合計含有率が、２５〜５５重量％であることを特徴とする衣料用液体洗浄剤組成物である。
【００１２】
また、本発明は、前記特徴に加え、前記（Ａ）成分、前記（Ｂ）成分および前記（Ｃ）成分の合計含有率が、４０〜５５重量％であることを特徴とする衣料用液体洗浄剤組成物である。
【００１３】
さらに、本発明は、前記特徴に加え、洗濯物１．５ｋｇに対する標準使用量において、前記ノニオン界面活性剤（Ａ）〜（Ｃ）成分の合計量が２．０〜４．０ｇの範囲であることを特徴とする衣料用液体洗浄剤組成物である。
【発明の効果】
【００１４】
本発明によれば、少しの使用量であっても皮脂汚れに対して優れた洗浄力を有し、また、組成物としての安定性にも優れた衣料用液体洗浄剤組成物を提供することが可能になる。
【発明を実施するための形態】
【００１５】
以下、本発明にかかる衣料用液体洗浄剤組成物について、詳細に説明する。なお、説明が省略されている構造、成分、製法等については、当該技術分野の当業者に知られているものと同一又は実質的に同一のものとすることができる。
【００１６】
本発明にかかる衣料用液体洗浄剤組成物は、（Ａ）〜（Ｃ）成分の３種類の異なるノニオン（非イオン）界面活性剤を含んでいることが特徴である。ノニオン界面活性剤は、水中の電解質やｐＨ値の影響を受けにくく、他種類の界面活性剤と併用することができ、浸透性、乳化・分散性、洗浄性に優れるなどの利点を有している。
【００１７】
（Ａ）成分は、前記一般式（１）で表されるポリオキシアルキレンアルキルアミンである。式（１）中、Ｒ１は炭素数が８〜２４、好ましくは１０〜１８の、直鎖状又は分岐鎖状のアルキル基又はアルキレン基を表している。炭素数が少ないと洗浄力が不十分となり、多いと組成物が不安定となる傾向がある。炭素数が前記範囲であれば、十分な洗浄力と高い安定性を得ることができる。
【００１８】
また、Ａ１Ｏ及びＡ２Ｏは各々独立に、炭素数２〜４のオキシアルキレン基を表している。
さらに、ｍ及びｎはオキシアルキレン基の平均繰返し数を表し、各々独立に０以上の数であり、ｍ＋ｎは３〜６０の整数である。ｍ＋ｎが小さいと不安定であり、大きいと洗浄力が不十分であるため、ｍ＋ｎは１０〜３０が好ましい。
【００１９】
（Ｂ）成分は、前記一般式（２）で表されるポリオキシエチレンアルキルエーテルである。式（２）中のＲ２は、炭素数が１０〜１８、好ましくは１２〜１４の直鎖状又は分岐鎖状のアルキル基又はアルキレン基を表している。炭素数が少ないと洗浄力が不十分となり、多いと組成物が不安定となる傾向がある。炭素数が前記範囲であれば、十分な洗浄力と高い安定性を得ることができる。
【００２０】
また、Ａ３Ｏはオキシエチレン基を表し、ａは平均付加モル数を表し、３〜１２の整数である。平均付加モル数が小さいと不安定であり、大きいと洗浄力が不十分ため、７〜９の整数が好ましい。
【００２１】
（Ｃ）成分は、前記（Ｂ）成分を除く、前記一般式（２）で表されるポリオキシアルキレンアルキルエーテルである。式（２）中、Ｒ２は、炭素数１０〜１８、好ましくは１２〜１４のアルキル基又はアルケニル基を表している。炭素数が少ないと洗浄力が不十分となり、多いと組成物が不安定となる傾向がある。炭素数が前記範囲であれば、十分な洗浄力と高い安定性を得ることができる。
【００２２】
また、Ａ３Ｏは炭素数２〜４のオキシアルキレン基を表し、ａは平均付加モル数を表し、３〜３５の整数である。平均付加モル数が小さいと不安定であり、大きいと洗浄力が不十分であるため、１０〜２０の整数が好ましい。
【００２３】
ここで、本発明にかかる衣料用液体洗浄剤組成物は、上記（Ａ）〜（Ｃ）成分を特定の比率で含有していることも特徴である。
【００２４】
（Ａ）成分の含有量は２０〜３５重量％である。（Ａ）成分の含有量が少なくても多くても洗浄力が不十分である。
【００２５】
（Ｂ）成分の含有量は１〜２５重量％である。（Ｂ）成分の含有量が少ないと洗浄力が不十分であり、多いと不安定である。
【００２６】
（Ｃ）成分の含有量は１〜３０重量％である。（Ｃ）成分の含有量が少なくても多くても洗浄力が不十分である。
【００２７】
また、前記（Ａ）〜（Ｃ）成分の合計含有量は２２〜６０重量％である。合計含有量が少ないと洗浄力が不十分であり、多いと不安定であるため、合計含有量は２５〜５５重量％が好ましく、４０〜５５重量％がより好ましい。
【００２８】
さらに、本発明にかかる衣料用液体洗浄剤組成物では、洗濯物１．５ｋｇに対する標準使用量において、前記（Ａ）〜（Ｃ）成分の合計量を２．０〜４．０ｇの範囲に設定しても良い。標準使用量が少ないと洗浄力が不十分であり、多いとすすぎ性が低下するため、２．５〜３．５ｇの範囲がより好ましい。
【００２９】
なお、本発明にかかる衣料用液体洗浄剤組成物には、その特性を損なわない範囲で、食塩、塩化マグネシウム、酢酸ナトリウム等の粘度調整剤、塩酸、クエン酸、水酸化ナトリウム等のｐＨ調整剤、カチオン界面活性剤、アニオン界面活性剤、両性界面活性剤、溶剤、防腐剤、抗菌剤、消臭剤、香料等を必要に応じて配合することができる。
【００３０】
また、本発明にかかる衣料用液体洗浄剤組成物の製法は特に限定されず、公知の常法を適宜用いることができる。例えば、上記各成分を配合して、必要に応じて加温しながら、十分に攪拌混合して各成分を溶解又は分散させ、適温まで冷却することにより製造することができる。攪拌装置としては、剪断力があり全体を均一に混合することができる、羽根式攪拌装置等が挙げられる。
【実施例】
【００３１】
以下、本発明にかかる衣料用液体洗浄剤組成物の実施例と本発明にかかる衣料用液体洗浄剤組成物に属さない比較例とを、洗浄力および外観安定性の観点から評価したので、これについて説明する。なお、本発明は、これらの実施例に限定されるものではなく、本発明の技術的思想を逸脱しない範囲で種々の変更が可能である。
【００３２】
［実施例１〜１０］
表１に、本発明にかかる衣料用液体洗浄剤組成物の実施例１〜１０を示す。実施例１〜１０は、いずれも全重量に対して５０重量％の界面活性剤を含んだ液体洗浄剤組成物である。
【００３３】
また、粘度調整剤とｐＨ調整剤とを適量配合して粘度とｐＨとを調整した。さらに、組成物の総量が１００重量％となるようにバランス量の水を配合した。水は塩化カルシウム濃度が９０ｐｐｍになるように調整したイオン交換水を用いた。これらの成分を攪拌機により室温で十分に攪拌混合して、実施例１〜１０の衣料用液体洗浄剤組成物を調製した。
【００３４】
［比較例１〜１６］
表２および３に、本発明にかかる衣料用液体洗浄剤組成物に属さない比較例１〜１６を示す。比較例１〜１６は、前記実施例と同様に、全重量に対して５０重量％の界面活性剤を含んだ衣料用液体洗浄剤組成物である。
なお、調整条件は、実施例と同一である。
【００３５】
［洗浄力］
洗浄力の評価は、ＪＩＳ  Ｋ３３７１に準じ行った。洗浄剤として実施例１〜１０及び比較例１〜１６の各試料０．１８ｇを使用した。使用水は塩化カルシウム濃度が９０ｐｐｍになるように調整したイオン交換水０．９Ｌを使用した。汚染布は湿式人工汚染布（洗濯科学協会製）を５枚使用し、浴比調整布を用いて４５ｇに調整した。浴比調整布として綿メリヤス布（５ｃｍ×５ｃｍに裁断したもの；谷頭商店）を用いた。
【００３６】
試験機はＪＩＳ  Ｋ３３７１指定の掻き混ぜ式洗浄力試験機（大栄科学精器製作所社製、型式ＴＭ-４）を使用した。洗浄温度３０℃、回転数１２０ｐｐｍ、洗浄時間１０分の条件で洗浄した。次いで、使用水と同じイオン交換水で３分間、１回すすぎを行った。脱水して乾燥した後に、ＪＩＳ  Ｋ３３６２に準じて調製した洗浄力判定用の指標洗浄剤に対する汚れ落ちの程度を、３人の目視によって判定した。
【００３７】
洗浄力の判定基準は下記の通り。
・明らかに勝る場合、「◎」
・やや勝る場合、「〇」
・ほとんど差がない場合〜やや劣る場合、「△」
・明らかに劣る場合、「×」
実施例の洗浄力に関する評価結果を表１に、比較例の洗浄力に関する評価結果を表２及び３に各々示す。
【００３８】
［外観安定性］
（１）高温曇点
実施例１〜１０及び比較例１〜１６の各試料５ｍｌを試験管に入れて、低温恒温槽の内管に設置し、室温から昇温速度３０℃／分で昇温させた。試料温度が５０℃まで上げた後、１℃上がる毎に試験管を取り出し、目視にて試料に曇りの有無を確認して、曇りが生じたときの温度を曇り点とした。
【００３９】
高温曇点の判定基準は下記の通り。
・６０℃以上にて、無色透明を維持する場合、「◎」
・５５℃以上、６０℃未満にて、無色透明を維持する場合、「〇」
・５０℃以上、５５℃未満にて、無色透明を維持する場合、「△」
・５０℃未満にて、無色透明を維持する場合、「×」
【００４０】
（２）低温曇点
室温から降温速度５℃／分で降温させ、試料温度が０℃まで下げた後、１℃下がる毎に曇りの有無を確認したこと以外は、高温曇点と同じ条件で評価した。
低温曇点の判定基準は下記の通り。
・−５℃にて、無色透明を維持する場合、「◎」
・０℃〜−４．９℃にて、無色透明を維持する場合、「〇」
・０℃未満にて、無色透明を維持する場合、「×」
実施例の外観安定性に関する評価結果を表１に、比較例の外観安定性に関する評価結果を表２及び３に各々示す。
【００４１】
【表１】
2018109125.tif 000004
【００４２】
【表２】
2018109125.tif 000005
【００４３】
【表３】
2018109125.tif 000006
【００４４】
表１〜３に示すように、実施例１〜１０は、比較例１〜１６と比べて洗浄力に優れていることが分かる。また、実施例１〜１０では６０℃以上の温度範囲において相分離が認められず、組成物としての外観安定性が高いことが分かる。
【００４５】
さらに、洗浄力の試験条件から換算すると、実施例１〜１０では、洗濯物１．５ｋｇに対する（Ａ）〜（Ｃ）成分の合計量は３．０ｇとなる。従来の濃縮型液体洗浄剤では、洗濯物１．５ｋｇに対する界面活性剤量は５．０〜７．５gであり、本発明の洗浄剤は約半分の界面活性剤量でありながら、優れた洗浄力を有していることが分かる。